(57)【特許請求の範囲】
【請求項１】
呼気ポートであって、
細長い本体であって、中空であるとともに、ガスの流れを運ぶための管腔を画定する前記細長い本体と、
中央部分と、
前記細長い本体の前記中央部分に配設された複数の孔であって、前記細長い本体を通してガスを排気するように構成された複数の孔と、
前記細長い本体から延びるシュラウドであって、複数の前記孔の１つまたは複数を取り囲み、壁を有するシュラウドと、を備え、
前記シュラウドが、前記細長い本体から外方に延び、
交互に位置する複数の凹条および凸条が前記シュラウドの前記壁に設けられ、前記複数の凹条および凸条は、前記シュラウドの先端から始まり、前記中央部分に向かって延び、
前記呼気ポートが、患者にガスを送達するための回路と取り外し可能に直列に接続するように配設される、非侵襲的換気療法用の呼気ポート。
【請求項２】
前記壁は、４つの前記凸条と交互に位置する４つの凹条を有する、請求項１に記載の呼気ポート。
【請求項３】
前記凹条が前記シュラウドの周囲に実質的に等間隔に配置される、請求項２に記載の呼気ポート。
【請求項４】
前記凹条および前記凸条は、前記呼気ポートの前記中央部分に達する、請求項１から３のいずれか一項に記載の呼気ポート。
【請求項５】
前記凹条および前記凸条は、前記シュラウドの前記先端と前記呼気ポートの前記中央部分との間で終端する、請求項１から３のいずれか一項に記載の呼気ポート。
【請求項６】
前記シュラウドが、略環状形態で前記細長い本体から外方に延びる、請求項１に記載の呼気ポート。
【請求項７】
前記シュラウドが前記先端の側の部分を有し、かつ前記先端の側の部分が、フィルタと接続するように構成されたテーパを有する、請求項１から６のいずれか一項に記載の呼気ポート。
【請求項８】
前記シュラウドが前記先端の側の部分を有し、複数の切り欠きが前記先端の側の部分の周りに間隔を空けて配置される、請求項１から７のいずれか一項に記載の呼気ポート。
【請求項９】
前記複数の切り欠きのそれぞれが、前記シュラウドの前記先端の側の部分の周りに等間隔で配置される、請求項８に記載の呼気ポート。
【請求項１０】
前記複数の切り欠きの各々が切り欠き寸法と間隔寸法とを備え、前記切り欠き寸法は前記間隔寸法と実質的に等しいか又は前記間隔寸法よりも実質的に大きい、請求項９に記載の呼気ポート。
【請求項１１】
前記切り欠きの中心線と前記凹条の中心線とが一致し、前記切り欠きが前記凹条と整列する、請求項９に記載の呼気ポート。
【請求項１２】
前記切り欠きの間の間隔の中心線と前記凸条の中心線とが一致し、前記切り欠きが前記凸条と整列する、請求項９に記載の呼気ポート。
【請求項１３】
前記細長い本体が第１の端部を更に備え、前記細長い本体の前記第１の端部が、雄テーパと、前記雄テーパ内に入れ子にされた雌テーパとを備える、請求項１から１２のいずれか一項に記載の呼気ポート。
【請求項１４】
前記細長い本体から外方に延びる圧力ポートを更に備え、前記圧力ポートが、非侵襲的人工呼吸器に接続する圧力サンプリングラインと結合するように構成される、請求項１から１２のいずれか一項に記載の呼気ポート。
【請求項１５】
請求項１から１４のいずれか一項に記載の呼気ポートと、前記呼気ポートと接続自在に構成されたフィルタと、を備える換気システム。
【請求項１６】
前記フィルタは、前記呼気ポートに接続されるように構成された雌型接続部を備え、前記雌型接続部と前記呼気ポートの外側面との結合は気密でない、請求項１５に記載の換気システム。
【請求項１７】
前記フィルタは、前記呼気ポートに接続されるように構成された雌型接続部を備え、前記フィルタの前記雌型接続部の内壁は、前記呼気ポートの前記凸条の外壁に接触し、その結果、前記フィルタの前記雌型テーパ接続部の前記内壁と前記凹条の外壁との間に、漏れ経路が形成される、請求項１５に記載の換気システム。
【発明の詳細な説明】
【技術分野】
【０００１】
全ての優先権出願の参照による援用
本出願と共に提出される出願データシートにおいて国外または国内の優先権の主張が特定されるあらゆる全ての出願が、米国特許法規則第１．５７条の下で参照により本明細書に援用される。
【０００２】
本開示は、概して、呼吸インターフェース用の呼気ポートに関する。より詳細には、本開示は、単肢型非侵襲的換気システムで使用される呼気ポートに関する。
【背景技術】
【０００３】
非侵襲的換気（ＮＩＶ）とは、気管内チューブなどの侵襲的人工気道を使用せずに呼吸補助を提供することである。非侵襲的陽圧換気は、空気流を患者の鼻または鼻と口に導くマスクにチューブで接続された機械的人工呼吸器を使用して行うことができる。頭部帯は、マスクを患者に固定するために使用される。マスクを介して提供される単肢型陽圧換気の使用は、患者に非侵襲的呼吸補助を提供するための認知された方法であり、また、急性呼吸不全と慢性期急性呼吸不全の両方の管理に不可欠な手法である。
【発明の概要】
【発明が解決しようとする課題】
【０００４】
呼気ポートは、非通気マスクが使用された場合に患者の呼気ガスを単肢型ＮＩＶ呼吸回路から排出するために使用される。呼気中に、患者の呼気ガスは、マスクと空気流導管との間の接続部において呼吸回路と直列に位置する呼気ポートから流れ出る。使用時に、呼気ガスは、二酸化炭素（ＣＯ２）の再呼吸を許容可能なレベルに維持するのに十分な治療加圧率で流入ガスによりポートを通して押し出される。呼気ポートの改良は、呼気ポートから流出する呼気ガスの騒音を低減するためにかつ呼気ガスを濾過する能力を提供するために、呼気ポートからの通気を低減するのに望ましい。
【課題を解決するための手段】
【０００５】
本開示の第１の態様によれば、ガス通路に沿ってガスを搬送しマスクを介してガスを患者に送達する単肢型非侵襲的換気装置と共に使用される呼気ポート装置であって、中空であるとともに、ガスの流れを運ぶための管腔を画定する細長い本体と、細長い本体の一部分に配設された複数の開口であって、開口を通してガスを排気するように構成された開口と、細長い本体から延びるシュラウドであって、複数の開口の１つまたは複数を取り囲むシュラウドとを備え、複数の開口がテーパ状とされ、かつ呼気ポートが、患者にガスを送達するための回路と取り外し可能に直列に接続するように配設される、呼気ポート装置が提供される。
【０００６】
いくつかの実施形態において、シュラウドは、細長い本体から外方に延びる。
【０００７】
いくつかの実施形態において、シュラウドは、略環状形態で細長い本体から外方に延びる。
【０００８】
いくつかの実施形態において、シュラウドは、細長い本体にほぼ直交して細長い本体から外方に延びる。
【０００９】
いくつかの実施形態において、シュラウドは、約３０度〜約４５度の角度で細長い本体から外方に延びる。
【００１０】
いくつかの実施形態において、シュラウドは、約１２０度〜約１３５度の角度で細長い本体から外方に延びる。
【００１１】
いくつかの実施形態において、シュラウドは、細長い本体から外方に延びる壁を有し、かつ壁の内側部分は内向きテーパ状とされ、テーパが、細長い本体に隣接するシュラウドの一部分からシュラウドの外側面に延び、テーパが約１度〜約８度の角度をなす。
【００１２】
いくつかの実施形態において、シュラウドは外側面を有し、かつ外側面は、フィルタと取り外し可能に接続するように構成された２２ｍｍのテーパを有する。
【００１３】
いくつかの実施形態において、シュラウドは外側面を有し、かつ外側面は、フィルタと取り外し可能に接続するように構成された１５ｍｍのテーパを有する。
【００１４】
いくつかの実施形態において、シュラウドは外側面を有し、かつシュラウドの外側面は複数の切り欠きを有する。
【００１５】
いくつかの実施形態において、複数の切り欠きは、シュラウドの外側面の周りに等間隔に配置される。
【００１６】
いくつかの実施形態において、複数の切り欠きの各々は、切り欠き寸法と間隔寸法とを備える。
【００１７】
いくつかの実施形態において、複数の切り欠きの各々は、間隔寸法と実質的に等しい切り欠き寸法を備える。
【００１８】
いくつかの実施形態において、複数の切り欠きの各々は、間隔寸法よりも実質的に大きい切り欠き寸法を備える。
【００１９】
いくつかの実施形態において、シュラウドは外側面を有し、かつシュラウドの外側面は略平面である。
【００２０】
いくつかの実施形態において、シュラウドは、オフセットされ、細長い本体に対して所定の角度で延びる。
【００２１】
いくつかの実施形態において、シュラウドは、細長い本体にヒンジ式に取り付けられる。
【００２２】
いくつかの実施形態において、シュラウドは、細長い本体から取り外し可能である。
【００２３】
いくつかの実施形態において、細長い本体は第１の端部を更に備え、細長い本体の第１の端部が、２２ｍｍの雄テーパと、２２ｍｍの雄テーパ内に入れ子にされた１５ｍｍの雌テーパとを備える。
【００２４】
いくつかの実施形態において、シュラウドは壁を有し、かつ壁は複数のスロットを有する。
【００２５】
いくつかの実施形態において、複数のスロットは略長円形である。
【００２６】
いくつかの実施形態において、複数のスロットは略円形である。
【００２７】
いくつかの実施形態において、シュラウドは外壁を有し、かつ外壁は外壁の周囲に交互に位置する凹条および凸条を有する。
【００２８】
いくつかの実施形態において、シュラウドは外壁と外側面とを有し、外壁は外壁の周囲に交互に位置する凹条および凸条を有し、外側面は複数の切り欠きを有し、かつ凹条および切り欠きは整列される。
【００２９】
いくつかの実施形態において、呼気ポートは、交互に位置する凹条および凸条を備えたシュラウドをフィルタに接続するように構成されたフィルタ接続アダプタを含む。
【００３０】
いくつかの実施形態において、シュラウドは、略環状である自由部分を有し、かつシュラウドの略環状自由部分は、少なくとも１つのスロットを備える。
【００３１】
いくつかの実施形態において、複数のスロットは、シュラウドの壁に実質的に径方向に位置決めされる。
【００３２】
いくつかの実施形態において、複数のスロットは、シュラウドの壁に実質的に軸方向に位置決めされる。
【００３３】
いくつかの実施形態において、複数の開口の各々は、開口の外面が最も広くなるテーパ状とされる。
【００３４】
いくつかの実施形態において、複数の開口の各々は、開口の内面における直径と、開口の外面における半径と、深さとを有する。
【００３５】
いくつかの実施形態において、複数の開口の各々について、開口の内面における直径は、約０．４ｍｍ〜約１ｍｍである。
【００３６】
いくつかの実施形態において、複数の開口の各々について、開口の外面における半径は、約０．４ｍｍ〜約１．０ｍｍである。
【００３７】
いくつかの実施形態において、複数の開口の各々について、深さは、開口の内面における直径の少なくとも２倍である。
【００３８】
いくつかの実施形態において、複数の開口の各々は中心を有し、呼気ポートは複数の開口の各々に対するピッチ距離を更に備え、ピッチ距離は、第１の開口の中心と複数の開口のうち第１の開口に隣接する開口の中心との間の距離である。
【００３９】
いくつかの実施形態において、複数の開口の各々は直径を有し、かつ複数の開口の各々に対するピッチ距離は直径の少なくとも４倍である。
【００４０】
いくつかの実施形態において、直径は、約０．４ｍｍ〜約１ｍｍである。
【００４１】
いくつかの実施形態において、複数の開口は、シュラウド内にオフセットパターンで配設される。
【００４２】
いくつかの実施形態において、オフセットパターンは、各開口が他の各開口からオフセットされるパターンである。
【００４３】
いくつかの実施形態において、複数の開口の１つは中心開口であり、かつ複数の開口の残りの開口は、複数の開口の残りの開口が中心開口の周りに少なくとも１つの円形配列で延びるようにシュラウド内に円形パターンで配設される。
【００４４】
いくつかの実施形態において、複数の開口は、各開口が隣接する開口と整列されるように矩形パターンで配設される。
【００４５】
いくつかの実施形態において、複数の開口は、各開口が隣接する開口と整列されるように矩形パターンで配設された１５〜３７個の開口を含む。
【００４６】
いくつかの実施形態において、複数の開口は、各開口が隣接する開口と整列されるように矩形パターンで配設された２１個の開口を含む。
【００４７】
いくつかの実施形態において、呼気ポートは、シュラウドに取り外し可能に取り付けることができる取り外し可能に取り付け可能なフィルタを含む。
【００４８】
いくつかの実施形態において、取り外し可能に取り付け可能なフィルタは、焼結プラスチックフィルタである。
【００４９】
いくつかの実施形態において、呼気ポートは、複数の開口に永久的に取り付け可能であるフィルタを含む。
【００５０】
いくつかの実施形態において、呼気ポートは、シュラウドに永久的に取り付け可能であるフィルタを含む。
【００５１】
いくつかの実施形態において、呼気ポートは、シュラウド内に取り外し可能に配置可能であるキャップであるフィルタを含む。
【００５２】
いくつかの実施形態において、呼気ポートは、シュラウド内に取り外し可能に配置可能である焼結プラスチック製のディスクであるフィルタを含む。
【００５３】
いくつかの実施形態において、呼気ポートは、シュラウド内に取り外し可能に配置可能であるディフューザであるフィルタを含む。
【００５４】
いくつかの実施形態において、呼気ポートは、フィルタを含む。複数の開口の周りで細長い本体に一体化されるフィルタを含み、かつフィルタはまた、ガス通路を画定する孔を含む。
【００５５】
いくつかの実施形態において、呼気ポートは、２つの部分内に位置決めされる膜ディスクであるフィルタを含む。
【００５６】
いくつかの実施形態において、呼気ポートは、細長い本体から外方に延びる圧力ポートを含み、圧力ポートは、非侵襲的人工呼吸器に接続する圧力サンプリングラインと結合するように構成される。
【００５７】
本開示の別の態様によれば、ガス経路に沿ってガスを搬送し非侵襲的換気マスクを介してガスを患者に送達する単肢型非侵襲的換気装置と共に使用される非侵襲的換気マスクシステムであって、
剛性本体と剛性本体に取り付けられた軟質シールとを有するクッションモジュールと、
少なくとも２つのヘッドギアコネクタを有する剛性フレームと、
クッションモジュールまたは剛性フレームに接続可能なスイベルエルボと、
エルボに取り外し可能に接続可能な呼気ポートと
を備える、非侵襲的換気マスクシステムが提供される。
【００５８】
好ましくは、軟質シールは鼻梁部に回転ヒンジ部分を備える。
【００５９】
好ましくは、非侵襲的換気マスクシステムは、１対の上帯部分を備えるヘッドギア装置を含み、各上帯部分が患者の頭部の両側に位置決めされ、頭頂部帯が２つの上帯部分間に延び、頭頂部帯が患者の頭部の頭頂部にわたって延びる。
【００６０】
好ましくは、呼気ポートは、細長い本体であって、
ガスの流れを運ぶための管腔を画定する前記細長い本体と、
細長い本体の一部分に配設された複数の孔であって、ガスを排気するように構成された孔と、
細長い本体から延びるシュラウドであって、複数の孔の１つまたは複数を取り囲むシュラウドと
を更に備え、
複数の孔がテーパ状であり、かつ
呼気ポートが、スイベルエルボと、患者にガスを送達するための回路とに取り外し可能に接続するように配設される。
【００６１】
本発明の全ての新規な態様において考慮されるべきである、本開示の更なる態様は、本開示の実際の応用の少なくとも１つの例を提供する以下の説明を読むことで当業者に明らかになるであろう。
【００６２】
ここで、本開示の種々の実施形態について、添付図面を参照しながら、単に例示的な例として説明する。図面では、類似の要素が同じ参照符号を有する。
【図面の簡単な説明】
【００６３】
【図１】図１は、本開示の実施形態による呼気ポートが取り付けられたマスクの斜視図である。
【図２Ａ】図２Ａは、本開示の実施形態による呼気ポートの斜視図である。
【図２Ｂ】図２Ｂは、本開示の実施形態による呼気ポートの斜視図である。
【図３Ａ】図３Ａは、本開示の実施形態による呼気ポートの斜視図である。
【図３Ｂ】図３Ｂは、本開示の実施形態による呼気ポートの斜視図である。
【図３Ｃ】図３Ｃは、図３Ａおよび図３Ｂの呼気ポートの実施形態の側面図である。
【図４】図４は、本開示の実施形態による呼気ポートの斜視図である。
【図５】図５は、本開示の実施形態による呼気ポートの斜視図である。
【図６】図６は、本開示の実施形態による呼気ポートの斜視図である。
【図７】図７は、本開示の実施形態による呼気ポートの正面図である。
【図８】図８は、本開示の実施形態による呼気ポートの上面図である。
【図９】図９は、本開示の実施形態による呼気ポートの底面図である。
【図１０Ａ】図１０Ａは、本開示の実施形態による呼気ポートで使用される孔設計の正面図である。
【図１０Ｂ】図１０Ｂは、本開示の実施形態による呼気ポートで使用される孔設計の断面図である。
【図１１Ａ】図１１Ａは、本開示の実施形態による三角形の孔格子パターンの正面図である。
【図１１Ｂ】図１１Ｂは、本開示の実施形態による三角形の孔格子パターンの正面図である。
【図１２Ａ】図１２Ａは、本開示の実施形態による矩形の孔格子パターンの正面図である。
【図１２Ｂ】図１２Ｂは、本開示の実施形態による矩形の孔格子パターンの正面図である。
【図１３Ａ】図１３Ａは、本開示の実施形態による円形の孔格子パターンの正面図である。
【図１３Ｂ】図１３Ｂは、本開示の実施形態による円形の孔格子パターンの正面図である。
【図１３Ｃ】図１３Ｃは、本開示の実施形態による円形の孔格子パターンの正面図である。
【図１３Ｄ】図１３Ｄは、本開示の実施形態による円形の孔格子パターンの正面図である。
【図１４Ａ】図１４Ａは、本開示の実施形態による外部フィルタ用のテーパの斜視図である。
【図１４Ｂ】図１４Ｂは、本開示の実施形態による外部フィルタ用のテーパの斜視図である。
【図１４Ｃ】図１４Ｃは、本開示の実施形態による外部フィルタ用のテーパの斜視図である。
【図１４Ｄ】図１４Ｄは、本開示の実施形態による外部フィルタ用のテーパの斜視図である。
【図１５Ａ】図１５Ａは、本開示の実施形態による外部フィルタが取り付けられた呼気ポートの側面図である。
【図１５Ｂ】図１５Ｂは、本開示の実施形態による外部フィルタが取り付けられた呼気ポートの側面図である。
【図１５Ｃ】図１５Ｃは、本開示の実施形態による外部フィルタが取り付けられた呼気ポートの側面図である。
【図１５Ｄ】図１５Ｄは、本開示の実施形態による外部フィルタが取り付けられた呼気ポートの側面図である。
【図１６Ａ】図１６Ａは、本開示の実施形態による一体型フィルタ／ディフューザの分解正面図である。
【図１６Ｂ】図１６Ｂは、本開示の実施形態による一体型フィルタ／ディフューザの折り畳み正面図である。
【図１７Ａ】図１７Ａは、本開示の実施形態による一体型フィルタ／ディフューザの分解図である。
【図１７Ｂ】図１７Ｂは、本開示の実施形態による一体型フィルタ／ディフューザの組立図である。
【図１７Ｃ】図１７Ｃは、本開示の実施形態による一体型フィルタ／ディフューザの断面図である。
【図１８Ａ】図１８Ａは、本開示の実施形態による一体型フィルタ／ディフューザの斜視図である。
【図１８Ｂ】図１８Ｂは、本開示の実施形態による一体型フィルタ／ディフューザの断面図である。
【図１９Ａ】図１９Ａは、本開示の実施形態によるヒンジ式のフィルタ用テーパアダプタの斜視図である。
【図１９Ｂ】図１９Ｂは、本開示の実施形態によるヒンジ式のフィルタ用テーパアダプタの斜視図である。
【図１９Ｃ】図１９Ｃは、本開示の実施形態によるヒンジ式のフィルタ用テーパアダプタの斜視図である。
【図２０Ａ】図２０Ａは、本開示の実施形態によるフィルタ用テーパアダプタのクリック式取り付け部の斜視図である。
【図２０Ｂ】図２０Ｂは、本開示の実施形態によるフィルタ用テーパアダプタのクリック式取り付け部の斜視図である。
【図２１Ａ】図２１Ａは、本開示の実施形態による呼気ポートの斜視図である。
【図２１Ｂ】図２１Ｂは、本開示の実施形態による呼気ポートの斜視図である。
【図２２Ａ】図２２Ａは、本開示の実施形態による呼気ポートの斜視図である。
【図２２Ｂ】図２２Ｂは、本開示の実施形態による呼気ポートの斜視図である。
【図２３】図２３は、本開示の実施形態による呼気ポートの斜視図である。
【図２４】図２４は、本開示の実施形態による呼気ポートの斜視図である。
【発明を実施するための形態】
【００６４】
本開示の実施形態は、特に単肢型非侵襲的換気（ＮＩＶ）システムと共に使用される呼気ポートを含む。開示の実施形態は、患者の呼気ガスを呼吸回路から排出するために使用される。呼気中に、患者の呼気ガスは、患者インターフェース装置（例えば、マスク）と人工呼吸器またはガス源からの空気流導管との間に直列に位置する呼気ポートから流れ出る。使用時に、呼気ガスは、二酸化炭素（ＣＯ２）の再呼吸を許容可能なレベルに維持するのに十分な治療加圧率で流入ガスによりポートにおける排気開口、すなわち孔を通して押し出される。
【００６５】
図１を参照すると、本開示の実施形態による呼気ポート１００が取り付けられたマスク１０の斜視図が図示されている。呼気ポート１００は、全面マスク１０のエルボコネクタ１２に取り付けられる。いくつかの実施形態において、呼気ポート１００は、ピローマスク、口マスク、口鼻マスク、鼻マスク、およびその他などの、他の種類の患者インターフェースと共に使用することができる。図示の構成において、呼気ポート１００は、呼気ポート１００が、マスク１０への入口１６と流体連通する第１の端部１０２と、ガス導管１４を介して人工呼吸器またはガス源と流体連通する第２の端部１０６とを有するように、ガス導管１４と直列に配置される。呼気ポート１００は、好ましくは、マスク１０の入口１６またはその近傍でエルボコネクタ１２に取り付けられる。呼気ポート１００をマスク入口１６に近接して位置決めすることにより、ＣＯ２ガスが蓄積する可能性のあるデッドスペースの量が有益に低減され、かつ患者による呼気ガスの再呼吸が有益に低減される。
【００６６】
図２Ａおよび図２Ｂは、本開示の実施形態による呼気ポート１００の斜視図を示しており、かつ図７、図８および図９は、実施形態１００の正面図、上面図および底面図をそれぞれ示している。図２Ａに示すように、呼気ポート１００は、ガスが流れ得る管腔１０５を画定する、呼気ポート１００の長手方向軸線１０３を貫通して延びる中空部分を有する細長い本体１０１を含む。呼気ポート１００は、上部分１０２と、中央部分１０４と、下部分１０６とを含む。
【００６７】
好ましくは、呼気ポート１００は、例えば、ポリカーボネートプラスチックなどの、比較的非可撓性の材料で構築される。このような材料は、所要の剛性を提供することができる。有利には、ポリカーボネートは、生じ得る分泌物または閉塞のために臨床医が呼気ポート１００の内部を確認することを許容する透明性を提供する。ポリカーボネートはまた、良好な寸法安定性を提供する。限定されるものではないが、ポリプロピレンおよびグリコール変性ポリエチレンテレフタレート（ＰＥＴＧ）を含む、当技術分野で既知の他の材料も、開示の呼気ポート１００を実現するために使用することができる。
【００６８】
上部分１０２は、例えば、マスク１０のエルボコネクタ１１２などの、種々の患者インターフェースへの接続を可能にするために、２２ｍｍの雄テーパ１０８と、２２ｍｍの雄テーパ１０８内に入れ子にされた１５ｍｍの雌テーパ１１０とを含む。１５ｍｍの雌テーパ１１０は、気管切開チューブへの接続のために使用することができる。他の接続形式もまた、開示の呼気ポート１００の実施形態に含めることができる。例えば、シュラウド１１６の外側面１２０は、１つまたは複数の専用の外部フィルタが呼気ポート１００に接続されることを可能にするように構成された専用のコネクタを含み得る。追加的に、上部分１０２および下部分１０６の少なくとも一方は、他の製造業者の製品ではなく同じ製造業者により提供された呼気ポート１００とマスク１０を一緒に使用できることを確実にするのに役立つように、専用のエルボコネクタ１１２と嵌合するように構成された専用の接続部を有することができる。下部分１０６は、ガス導管１４に接続するための２２ｍｍの雄テーパ１０９（図９に示す）を含む。中央部分１０４は、非侵襲的人工呼吸器またはガス源に接続する圧力サンプリングラインと結合するための１／８インチの圧力ラインポート１１２を含む。圧力ラインポート１１２は、不使用時にキャップ（図示せず）で閉鎖されてもよい。
【００６９】
呼気ポート１００の中央部分１０４はまた、患者の呼気ガスを呼吸回路から排出できる複数の排気孔１１４（本明細書では「開口１１４」とも称される）を含む。シュラウド１１６は、呼気ガスの通気を低減するために排気孔１１４を覆うように排気孔１１４の周りに位置決めされる。シュラウド１１６は略環状である。シュラウド１１６は、呼気ガスの排気を可能にし、かつ排気孔１１４の閉塞を防止する。例示的に、シュラウド１１６は、排気孔１１４を通して呼気流中に周囲空気が混入するのを防止する。シュラウド１１６はまた、外部フィルタ１７０、１７２（図１５Ａ〜図１５Ｄに示す）を取り付けることができる構造を提供する外側面１２０に２２ｍｍの雄テーパを有する。外部フィルタ１７０、１７２は、患者の近くにいる臨床医らが患者の呼気ガス中に存在し得る病原菌に曝されるのを防止する。したがって、フィルタ１７０、１７２は、病院環境において病気の患者の呼気に起因して感染が広がる可能性を低減する。
【００７０】
シュラウド１１６は、呼気ポート１００の中央部分１０４から外方に延びる内壁１２２を有する。ある実施形態によれば、シュラウド１１６の内壁１２２は、中心方向にテーパ状とされる。テーパは、細長い本体に隣接するシュラウドの一部分からシュラウド１１６の外側面１２０に０度〜８度の角度で延びる。いくつかの実施形態において、シュラウドは中心方向にテーパ状とされない。
【００７１】
シュラウド１１６は、シュラウドのテーパが二肢型ＮＩＶ回路で使用されないようにシュラウド１１６をＹ字状部品またはＴ字状部品と区別することにより誤用の可能性を低減できる切り欠き１１８を含むことができる。切り欠き１１８はまた、偶発的に呼気経路を閉塞する確率を低減する。図２Ａおよび図２Ｂに開示した実施形態に図示するように、切り欠き１１８は、シュラウド１１６の外側面１２０に配置される。切り欠き１１８の寸法、間隔、および数は異なるものとすることができる。例えば、図２Ａおよび図２Ｂに図示するように、切り欠き１１８は、シュラウド１１６の外側面１２０の部分に互いに直径方向に対向して位置決めされる。
【００７２】
シュラウド１１６が、等間隔に配置された４つの切り欠き１１８を含み、これらの切り欠き１１８間に丸みを帯びた間隔を有する、呼気ポート１００の好ましい実施形態が図３Ａ〜３Ｃに図示されている。いくつかの実施形態（図１４Ｂおよび図１４Ｃに図示する）において、切り欠き１１８は、シュラウド１１６の外側面１２０の周りに等間隔に配置され、かつ切り欠き１１８の寸法は、切り欠き１１８間の間隔寸法と実質的に等しい。ある実施形態において、切り欠き１１８は、切り欠き１１８間の間隔寸法よりも実質的に大きい寸法を有する。切り欠き１１８の寸法、配列、および間隔の多くの他の形態および変形例を使用することができる。
【００７３】
図４、図５および図６は、シュラウド１１６におけるスロット１２４を利用する呼気ポート１００の実施形態を図示している。切り欠き１１８と同じように、スロット１２４は、排気孔１１４が閉塞されるのを防止するのに役立つ。スロット１２４はまた、周囲環境への呼気ガスの排気を可能にし、かつスロット１２４は、シュラウド１１６を二肢型ＮＩＶ呼吸回路で使用すべきではないことを示すためにシュラウド１１６を区別することにより呼気ポート１００の誤使用の可能性を低減する役割を果たす。スロット１２４はまた、偶発的に呼気経路を閉塞する確率を低減する。スロット１２４は、例えば、丸形または長円形などの、任意の形態または形状とすることができ、かつスロット１２４の向きは、シュラウド１１６の表面の周りに径方向に位置決めするか、軸方向に位置決めするか、中央部分１０４に向けるか、またはシュラウド１１６における他の任意の向きで位置決めすることができる。スロット１２４は、濾過されていない呼気ガスが周囲環境に放出されるのを防止するために（図１５Ａ〜図１５Ｄに示すように）スロット１２４を外部フィルタ１７０、１７２の２２ｍｍの雌テーパ接続部により覆うことができるように、好ましくは、シュラウド１１６の外側面１２０に十分に近接している。ある実施形態において、スロット１２４は、シュラウド１１６の外壁に沿って垂直方向または軸方向に延びる。このような実施形態において、標準的な外部フィルタ１７０、１７２は、スロット１２４を完全に覆わなくてもよいが、専有の外部フィルタは、垂直方向に延びるスロット１２４を完全に覆うようにシュラウド１１６と嵌合するように構成されてもよい。
【００７４】
図２１Ａ〜図２４は、シュラウド１１６の壁に交互に位置する複数の凹条１２５および凸条１２８を有することによりシュラウド１１６における漏れ経路１２６を利用する呼気ポート１００の実施形態を図示している。凹条１２５および凸条１２８は、シュラウド１１６の外側面１２０から始まり、中央部分１０４に向かって延びることができる。凹条１２５および／または凸条１２８は、中央部分１０４に達するかまたはシュラウド１１６の外側面１２０と中央部分１０４との間で終端することができる。上で説明した切り欠き１１８およびスロット１２４と同じように、漏れ経路１２６は、シュラウド１２６の外側面により画定された開口が誤って塞がれたときに排気孔１１４が閉塞されるのを防止するのに役立つ。例えば、シュラウド１１６は、２２ｍｍの雌キャップ（図示せず）またはネブライザ（図示せず）がシュラウド１２６の外側面１２０における２２ｍｍの雄テーパに間違って接続されたときに塞がれる可能性がある。シュラウド１１６はまた、シュラウド１１６の外側面１２０における２２ｍｍの雄テーパに接続された外部フィルタ１７０、１７２（図１５Ａ、図１５Ｄに示す）が閉塞されたまたは詰まったときに塞がれる可能性もある。例えば、フィルタ１７０、１７２は粒子状物質で詰まる可能性がある。漏れ経路１２６は、シュラウド１１６に形成された漏れ経路１２６を通して呼気ガスが吐出または漏出されることを可能にする。呼気ガスが漏れ経路１２６から漏れ出ることを可能にすることにより、ＣＯ２ガスが蓄積する可能性のあるデッドスペースの量を低減し、マスク内のＣＯ２ガスの蓄積を低減し、かつ患者による呼気ガスの再呼吸を有益に低減することができる。図示の実施形態において、キャップ、ネブライザ、または外部フィルタ１７０、１７２の２２ｍｍの雌型接続部と、シュラウド１１６の外側面１２０における２２ｍｍの雄テーパとの結合は気密ではない。キャップ、ネブライザ、または外部フィルタ１７０、１７２の２２ｍｍの雌型接続部内壁は、凸条１２８の外壁に接触することができ、その結果、漏れ経路１２６が、キャップ、ネブライザ、または外部フィルタ１７０、１７２の２２ｍｍの雌型接続部の内壁と凹条１２５の外壁との間に形成される。排気孔１１４からの呼気ガスは、上で説明した状況でシュラウド１１６が塞がれたときに患者が過剰なＣＯ２を再呼吸しないようにＣＯ２ガスが蓄積する可能性のあるデッドスペースの量およびマスク内のＣＯ２ガスの蓄積を低減するために、漏れ経路１２６を通って周囲環境に漏れ出ることができる。交互に位置する凹条１２５および凸条１２８はまた、シュラウド１１６を二肢型ＮＩＶ呼吸回路で使用すべきではないことを示すためにシュラウド１１６を通常の２２ｍｍの雄テーパと区別することにより呼気ポート１００の誤使用の可能性を低減する役割を果たす。
【００７５】
漏れ経路１２６は、様々な方法で形成することができる。いくつかの実施形態において、凹条１２５は、シュラウド１１６の外壁の一部分を切り取ることにより形成することができる。いくつかの実施形態において、凸条１２８は、例えば、接着剤、溶接、または当該技術分野で既知の他の方法によりシュラウド１１６の外壁に固定することができる。いくつかの実施形態において、呼気ポート１００は、成形作業により形成される。同様に、凹部分１２５および凸条１２８もまた、呼気ポート１００を成形するために使用される適切な形状の工具を使用する成形作業により形成することができる。呼気ポートは、ポリカーボネートなどの、任意の適切な熱可塑性プラスチックから成形することができる。
【００７６】
漏れ経路１２６の寸法、間隔および数は異なるものとすることができる。いくつかの実施形態において、漏れ経路１２６は、約０ｍｍ〜約１．２ｍｍの深さを有することができる。いくつかの実施形態において、漏れ経路１２６は、約０．３ｍｍ〜約０．９ｍｍの深さを有することができる。いくつかの実施形態において、漏れ経路１２６は、約０．６ｍｍの深さを有することができる。漏れ経路１２６の大きさは、呼気ガスを濾過する必要性の高まりの有無に応じて調整することができる。呼気ガスが感染性であることがあまり懸念されない場合には、より多くの呼気ガスが濾過されずに漏れ経路１２６から出ることができるように、より幅広いおよび／またはより深い凹条１２５がシュラウド１１６に形成されてもよい。呼気ガスが感染性であることがより懸念される場合には、より少ない呼気ガスが濾過されずに漏れ経路１２６から出ることができるように、より狭いおよび／またはより深い凹条１２５をシュラウド１１６に形成することができる。凹条１２５および／または凸条１２８、ひいては漏れ経路１２６は、実質的に同じ形状、大きさおよび／または面積、あるいは異なる形状、大きさおよび／または面積を有することができる。漏れ経路１２６は、シュラウド１１６の長さに沿った真っ直ぐなまたは曲がりくねった経路を有することができる。真っ直ぐな経路は、漏れ経路１２６を通る呼気ガスの通気抵抗を有利に低減し得る。真っ直ぐな経路はまた、より安価に製造することができる。曲がりくねった経路は、より多くの呼気ガスがフィルタ１７０、１７２を通して濾過されることが望ましい場合に、より高い通気抵抗を提供することができる。
【００７７】
図２１Ａおよび図２１Ｂに示すように、シュラウドは、３つの凸条１２８と交互に位置する３つの凹条１２５を有することができる。図２２Ａおよび図２２Ｂに示すように、シュラウドは、２つの凸条１２８と交互に位置する２つの凹条１２５を有することができる。図２３に示すように、シュラウドは、４つの凸条１２８と交互に位置する４つの凹条１２５を有することができる。図２４に示すように、シュラウドは、５つ以上の凸条１２８と交互に位置する５つ以上の凹条１２５を有することができる。より多数の漏れ経路１２６は、凸条１２８とフィルタ１７０、１７２との接触箇所をシュラウド１１６の周囲に広げることができるので、シュラウド１１６とフィルタ１７０、１７２とのより安定した接続を有利にもたらすことができる。他方で、より少数の漏れ経路１２６は、より多数の漏れ経路１２６よりも安価に製造することができる。
【００７８】
漏れ経路１２６は、シュラウド１１６の周囲に等間隔に配置することができ、またはシュラウド１１６の周囲に異なる間隔を有することができる。漏れ経路１２６の等しい間隔は、シュラウド１１６とフィルタ１７０、１７２とのより安定した接続を有利に提供し得る。漏れ経路の等しい間隔はまた、個々の漏れ経路を通るより均一な空気流を有利に生成し得る。
【００７９】
図２１Ａ〜図２４に示すように、いくつかの実施形態では、シュラウド１１６はまた、複数の切り欠き１１８を有する。漏れ経路１２６のいくつかまたは全て、および切り欠き１１８のいくつかまたは全てを整列させることができる。漏れ経路１２６と切り欠き１１８とを整列させることにより、有利には、切り欠き１１８を有さない外側面１２０の一部分と漏れ経路１２６が整列する場合よりも漏れ経路１２６が短くなる。より短い漏れ経路１２６により、呼気ガスが漏れ経路１２６を通って漏れ出るように抵抗をより小さくすることができる。
【００８０】
シュラウド１１６が４つの突条１２８と交互に位置する４つの凹条１２５を含む呼気ポート１００の好ましい実施形態が図２３に図示されている。凹条１２５は、約０．６ｍｍの深さを有することができる。各凹条１２５は、シュラウド１１６の壁により形成された円の約６０°にわたって広がることができる。各凸条１２８は、シュラウド１１６の壁により形成された円の約３０°にわたって広がることができる。図２３に示すように、凹条１２５は、シュラウド１１６の壁により形成された円上に等間隔に配置される。シュラウドは、切り欠き１１８間に丸みを帯びた間隔を有する、４つの切り欠き１１８を更に含むことができる。切り欠き１１８は、シュラウド１１６の外側面１２０の周りに等間隔に配置することができ、かつ切り欠き１１８の寸法は切り欠き１１８間の間隔寸法と実質的に等しい。図２３に示すように、切り欠き１１８の中心線および凹条１２５の中心線は、切り欠き１１８が凹条１２５と整列するように一致させることができる。図２３に示すように、切り欠き１１８間の間隔の中心線もまた、凸条１２８の中心線と一致させることができる。シュラウド１１６の壁により形成された円上に等間隔に配置されかつ切り欠き１１８と整列された６０°×０．６ｍｍの４つの凹条１２５を有することにより、空気流のための増加した面積、より短い漏れ経路１２６、および低減された通気抵抗、ならびにシュラウド１１６とフィルタ１７０、１７２との安定した接続を有利に提供することができる。
【００８１】
外部フィルタ１７０、１７２に接続された呼気ポートの実施形態において、フィルタ１７０、１７２を通過する流動抵抗は、呼気ガスの大部分が漏れ経路１２６を通るのではなくフィルタ１７０、１７２から流出するように小さくなるように構成される。一実施形態において、呼気ガスの約７５％は、フィルタ１７０、１７２から流出する。漏れ経路１２６を通る呼気ガスの流動抵抗は、フィルタ１７０、１７２が外側面１２０から中央部分１０４に向けてどの程度差し込まれるかを調整することにより調整することができる。フィルタ１７０、１７２は、フィルタ１７０、１７２がシュラウド１１６と結合されることを可能にするのにちょうど十分な距離だけシュラウド１１６に差し込むことができる。それゆえ、漏れ経路１２６は、短いものとし、かつ呼気ガスが漏れ経路１２６から出る際の流動抵抗を小さいものとすることができる。いくつかの状況では、パンデミック時などに、より高い割合の呼気ガスが濾過される必要がある。そして、フィルタ１７０、１７２は、できる限り中央部分１０４に近接するように差し込むことができ、その結果、漏れ経路１２６が長くなりかつ呼気ガスが漏れ経路から出る際の流動抵抗がより大きくなる。したがって、より多く呼気ガスがフィルタ１７０、１７２から出ることができる。いくつかの実施形態において、漏れ経路１２６は、より多くの呼気ガスが漏れ経路１２６ではなくフィルタ１７０、１７２を通って流出するように切り欠き１１８と整列しないように位置する。
【００８２】
いくつかの実施形態において、呼気ポート１００は、専用のフィルタ接続アダプタ（図示せず）を更に含む。フィルタ接続アダプタは、漏れ経路１２６を閉塞しかつフィルタ１７０、１７２を通って流出するようにより多くの呼気ガスを導くためにシュラウド１１６をフィルタ１７０、１７２に取り外し可能に接続するように構成することができる。一実施形態において、フィルタ接続アダプタは、フィルタ接続アダプタにより漏れ経路１２６を実質的に閉塞できるようにシュラウド１１６の交互に位置する凸条１２８および凹条１２５と相補的である交互に位置するパターンの凹部および凸条を備える。他の実施形態において、フィルタ接続アダプタは、フィルタ接続アダプタがシュラウド１１６とフィルタ１７０、１７２との間に接続されたときに漏れ経路１２６の形状になる柔軟性または可撓性材料を有することができる。
【００８３】
図１０Ａ〜図１０Ｂは、排気孔１１４、すなわち開口１１４の種々の態様を図示している。排気孔１１４、すなわち開口１１４は、患者の呼気ガスが呼吸回路から流出するための通路を提供する。呼気ガスが呼気ポート１００を通って呼吸回路から流出するときに生成される騒音は、患者のイライラの原因となる可能性がある。有利には、孔１１４は、呼気ガスの騒音を低減するために形成され配設される。図１０Ａおよび図１０Ｂに図示するように、好ましくは、孔１１４の深さ１３０は、孔１１４の内径１３２の少なくとも２倍である。この比率は騒音を低減するのに役立つ。実施形態において、好ましくは、孔深さ１３０は約１．５ｍｍである。加えて、ピッチ距離１３４（隣り合う２つの孔１１４の中心間の距離）は、孔１１４の内径１３２の少なくとも４倍である。この場合も、この比率は騒音を低減するのに役立つ。実施形態によれば、ピッチ距離１３４は約３ｍｍである。好ましくは、孔１１４は全て同じ内径１３２を有する。ある実施形態において、孔１１４は、好ましくは、約０．４ｍｍ〜約１．０ｍｍの内径１３２を有する。ある好ましい実施形態において、孔１１４は、テーパ状とされ、孔１１４の外側面に外半径１３６を有する。好ましくは、外側半径１３６は、約０．４ｍｍ〜約０．７５ｍｍである。したがって、好ましい実施形態において、孔深さ１３０は約１．５ｍｍであり、孔１１４間のピッチ距離１３４は約３ｍｍであり、孔１１４の内径１３２は約０．７５ｍｍであり、かつ孔の外半径１３６は約０．７ｍｍである。別の好ましい実施形態において、開口１１４の内径１３２は約０．９ｍｍであり、開口１１４の深さ１３０は少なくとも約１．８ｍｍであり、隣り合う開口１１４間のピッチ距離１３４は少なくとも約３．６ｍｍであり、かつ開口１１４の外半径１３６は約０．７５ｍｍである。
【００８４】
好ましい実施形態において、排気孔１１４は、全ての孔１１４が互いに整列される２１個の孔を含む矩形配列をなす。この実施形態では、孔１１４の全てが、隣り合う孔１１４間に一定のピッチ距離１３４を有するわけではない。図１１Ａ〜図１１Ｂ、図１２Ａ〜図１２Ｂ、および図１３Ａ〜図１３Ｄに図示するように、本開示の呼気ポート１００を実現するために孔１１４の種々のパターンおよび配列を使用することができる。図１１Ａおよび図１１Ｂは、３０個および３７個の孔をそれぞれ有する矩形の等間隔排気孔１１４格子パターンを図示している。図１２Ａおよび図１２Ｂは、２６個および３０個の孔をそれぞれ有する矩形の排気孔１１４格子パターンを図示している。図１３Ａ〜図１３Ｄは、２１個、３３個、３７個、および４１個の孔１１４をそれぞれ有する円形で輪状の排気孔１１４パターンを図示している。
【００８５】
図１４Ａ〜図１４Ｃは、本開示の特徴のいくつかを明示する、呼気ポート１００の種々の代替的な実施形態を図示している。図１４Ａは、シュラウド１１６が平面である、つまり、シュラウド１１６がシュラウド１１６の壁１２２に切り欠き１１８またはスロット１２４を有さない、呼気ポート１００の実施形態を図示している。この実施形態において、シュラウド１１６は、外方に真っ直ぐに、すなわち呼気ポート１００の長手方向軸線に直交して突出する。シュラウド１１６は、外部フィルタ１７０と接合するための２２ｍｍの雄テーパを含む。
【００８６】
上述したように、図１４Ｂは、シュラウド１１６がシュラウド１１６の外側面１２０の周りに等間隔に配置された切り欠き１１８を含み、かつ切り欠き１１８の寸法が切り欠き１１８間の間隔寸法１１９と実質的に等しい、呼気ポート１００の実施形態を図示している。追加的に、細長い本体１０１は、より小型の呼気ポート１００を提供するために長さが短い。シュラウド１１６は、外部フィルタ１７０と接合するための２２ｍｍの雄テーパを含む。
【００８７】
図１４Ｃおよび図１４Ｄは、シュラウド１１６用の傾斜接続部１５０を特徴とする呼気ポート１００の代替的な実施形態を図示している。有利には、傾斜接続部１５０は、呼気ガスを介護士および患者から離れる方向に導く。傾斜接続部１５０は、細長い本体１０１から９０度を含む、任意の角度をなすことができる。いくつかの実施形態において、傾斜接続部１５０は、患者インターフェースからの向きに応じて、約３０度〜４５度の角度をなすかまたは約１２０度〜１３５度の角度をなすことができる。図１４Ｃに図示するシュラウド１１６は、外部フィルタ１７０と接合するための２２ｍｍの雄テーパを含む。図１４Ｄに図示するシュラウド１１６は、外部フィルタ１７２と接合するための１５ｍｍの雄テーパを含む。
【００８８】
図１５Ａ〜図１５Ｄは、外部フィルタ１７０、１７２が取り付けられた呼気ポート１００の種々の代替的な実施形態を図示している。先に説明したように、外部フィルタ１７０、１７２は、周囲環境が患者の呼気ガス中に存在し得る病原菌に曝されるのを防ぐ。図１５Ａおよび図１５Ｂは、呼気ポート１００の細長い本体１０１に対してほぼ直交して（すなわち、９０°の角度で）外方に延びるシュラウド１１６に外部フィルタ１７０、１７２が取り付けられた２つの構成を示している。図１５Ａおよび図１５Ｂにおいて、外部フィルタ１７０、１７２は、外部フィルタ１７０、１７２と呼気ポート１００のシュラウド１１６との接続を確立するためにシュラウド１１６の２２ｍｍの雄テーパと嵌合する２２ｍｍの雌テーパを有する。
【００８９】
図１５Ｃおよび図１５Ｄは、傾斜接続部１５０において呼気ポート１００の細長い本体１０１から外方に延びるシュラウド１１６に外部フィルタ１７０、１７２が取り付けられた２つの構成を示している。外部フィルタ１７０、１７２は、外部フィルタ１７０と呼気ポート１００のシュラウド１１６との接続を確立するためにシュラウド１１６の２２ｍｍの雄テーパと嵌合する２２ｍｍの雌テーパを有する。当然ながら、当業者であれば、多くの種類、形態、および形式の外部フィルタ１７０、１７２を本開示の実施形態で使用できることを理解するであろう。
【００９０】
ここで図１６Ａおよび図１６Ｂを参照すると、開示の呼気ポート２００の実施形態は、一体型フィルタ／ディフューザを含む。図１６Ａは、呼気ポート２００の分解図を示している。本体２０２は、焼結ディフューザ２０４および上部分２０６が組み立てられて呼気ポート２００を形成する構造を提供する。本体２０２は、非侵襲的人工呼吸器またはガス源に接続する圧力サンプリングラインと結合するための圧力ラインポート２１２を含む。圧力ラインポート２１２は、不使用時にキャップ（図示せず）で閉鎖されてもよい。本体２０２はまた、患者の呼気ガスが通過し得る呼気排気口２０８を含む。焼結フィルタ／ディフューザ２０４は、空気流が通過するのを許容するプラスチック材料で作られる。したがって、作動時に、呼気ガスは、本体２０２の呼気排気口２０８を通って流出して焼結フィルタ／ディフューザ２０４内に入って通過し、呼吸回路から流出して周囲環境に入る。上部分２０６は、呼気ポート２００が組み立てられた図１６Ｂに図示するように、焼結フィルタ／ディフューザ２０４に隣接して本体２０２に外嵌する。有利には、呼気ポート２００は、患者の呼吸ガスの吐出により生成される騒音および通気を低減しかつ呼気ガスを濾過するのに有効である。
【００９１】
図１７Ａ〜図１７Ｃは、一体型フィルタを含む呼気ポート３００の別の実施形態を図示している。図１７Ａは、呼気ポート３００を分解斜視図で示している。呼気ポート３００は、上半部３０２と、下半部３０４と、濾材３０６とを含む。下半部３０４はまた、濾過された呼気ガスが呼吸回路から周囲環境へと通過する呼気排気口３０８を含む。組み立てでは、２つの半部３０２および３０４間に位置決めされる濾材３０６と一緒に２つの半部３０２および３０４を超音波溶接することができる。組み立てられた呼気ポート３００は、呼吸回路において直列で作動する。患者の呼気ガスは、濾材３０６を通過し、ポート３００を通して呼気排気口３０８に導かれる。有利には、呼気ポート３００は、直列システムを介して呼気ガスから感染性物質を濾過し、それにより、外部フィルタ１７０、１７２を収容するための構造（シュラウド１１６など）を追加する必要がない。
【００９２】
図１８Ａ〜図１８Ｂは、（ディスクまたはキャップである）取り外し可能なフィルタ／ディフューザ４０２がシュラウド１１６内に挿入される呼気ポート４００の更に別の実施形態を図示している。取り外し可能なフィルタ／ディフューザ４０２は、呼吸ガスの吐出に伴う騒音を低減しかつ空気流が通過するのを許容することができる、焼結プラスチック、発泡体、または織布材料で作製することができる。したがって、作動時に、呼気ガスは、排気孔１１４を通って流出して焼結フィルタ／ディフューザ４０２内に入り、呼吸回路から流出して周囲環境に入る。有利には、呼気ポート４００は、呼気ポート４００の大きさまたは容積を増加させることなく呼吸回路から吐き出される呼気ガスの騒音低減をもたらす。呼気ポート４００はまた、呼気ガスを濾過することができる。
【００９３】
図１９Ａ〜図１９Ｃは、ヒンジ式シュラウド５０２が任意選択でありかつ呼気ポート５００に別個に取り付け可能である呼気ポート５００の別の実施形態を図示している。呼気ポート５００は、上部分１０２と、中央部分１０４と、下部分１０６と、２２ｍｍの雄テーパ１０８と、１５ｍｍの雌テーパ１１０と、圧力ラインポート１１２と、複数の排気孔１１４、すなわち開口１１４とを含む、呼気ポート１００の実施形態に関して説明した要素の大部分を含む。呼気ポート５００はまた、ヒンジ式シュラウド５０２を呼気ポート５００に取り付けるために使用される上棚部５１０および下棚部５１２を含む。図１９Ｂに図示するように、ヒンジ式シュラウド５０２は、ヒンジ（図示を容易にするために示されていない）により接続され得る、２つの半部を含み、これらの半部は呼気ポート５００に取り付けられる。組み立てられた時点で、図１９Ｃに図示するように、ヒンジ式シュラウド５０２は、呼気ポート５００への外部フィルタ１７０に取り付くようにかつ呼気流中への周囲空気の混入を低減するように構成される。ヒンジ式シュラウド５０２は、周囲空気が呼気流中に吸い上げられるのを防止することにより通気を低減する。有利には、呼気ポート５００は、患者が、例えば、患者の呼気ガスの近くにいる介護者らに感染のリスクをもたらさないので外部フィルタ１７０を利用することが望ましくない状況において使用される簡易化された形状要素を提供する。後に、患者が感染のリスクを示す場合には、外部フィルタ１７０の取り付けを可能にするために、ヒンジ式シュラウド５０２を呼気ポート５００に取り付けることができる。
【００９４】
図２０Ａ〜図２０Ｂは、取り外し可能なシュラウド６０２が任意選択でありかつ呼気ポート６００に別個に取り付け可能である呼気ポート６００の別の実施形態を図示している。この実施形態において、シュラウドコネクタ６０４は、排気孔１１４を取り囲む。シュラウドコネクタ６０４は、取り外し可能なシュラウド６０２の２２ｍｍの雌テーパを受け入れるように構成される。図２０Ｂに図示するように、取り外し可能なシュラウド６０２は、取り外し可能なシュラウド６０２を適所に固定するためにシュラウドコネクタ６０４と嵌合する。シュラウド６０２をシュラウドコネクタ６０４に嵌合させる方法は、特に、嵌着接続およびクリック式接続、ならびに標準的な医療用の２２ｍｍおよび１５ｍｍのテーパ接続を含むことができる。固定された時点で、取り外し可能なシュラウド６０２は、呼気ポート６００への外部フィルタ１７０、１７２に取り付くようにかつ呼気流中への周囲空気の混入を低減するように構成される。
【００９５】
開示の呼気ポートの種々の実施形態が本明細書で説明されている。文脈が別のものを明らかに求めない限り、明細書および特許請求の範囲を通して、「備える（ｃｏｍｐｒｉｓｅ）」、「備えている（ｃｏｍｐｒｉｓｉｎｇ）」などの単語は、排他的または完全な意味とは対照的に包括的な意味、換言すれば「備えるが、これに限定されるものではない」という意味で解釈されるべきである。
【００９６】
本明細書で使用される場合の「およそ」、「約」、「ほぼ」および「実質的に」という用語などの、本明細書で使用される程度を表す言葉は、依然として所望の機能を果たすまたは所望の結果を達成する、規定の値、量、または特性に近い値、量、または特性を表す。例えば、「およそ」、「約」、「ほぼ」および「実質的に」という用語は、規定の量の１０％未満以内、５％未満以内、１％未満以内、０．１％未満以内、および０．０１％未満以内の量を指す場合がある。
【００９７】
前述の説明において、既知の等価物を有する本発明の完成品または構成要素に対して言及がなされている場合、これらの完成品は個別に説明されているかのように本明細書に組み込まれる。
【００９８】
本明細書における任意の先行技術への言及は、先行技術が世界のあらゆる国の努力傾注分野における共通の一般知識の一部を形成することの承認または任意の形の示唆として解釈されず、また解釈されるべきではない。
【００９９】
本開示のいくつかの構成のある特徴、態様および利点が患者または使用者による使用に関連して説明されている。しかしながら、説明されているような呼気ポートの使用のある特徴、態様および利点は、有利には、医療従事者、医療機器販売業者、または医療機器供給業者を含む、患者に代わる他人により実施され得る。本開示の方法および装置のある特徴、態様および利点は、他の人々による利用にも等しく適用され得る。
【０１００】
本開示がある実施形態に関して説明されているが、当業者に明らかである他の実施形態もまた、本開示の範囲内である。したがって、本開示の精神および範囲から逸脱することなく、種々の変更および修正が加えられ得る。例えば、種々の構成要素の位置を所望に応じて変えてもよい。その上、本開示を実施するために、特徴、態様および利点の全てが必ずしも必要であるわけではない。よって、本開示の範囲は、以下の特許請求の範囲によってのみ定義されることが意図されている。
【図１】
0006770056.tif 000002
【図２Ａ】
0006770056.tif 000003
【図２Ｂ】
0006770056.tif 000004
【図３Ａ】
0006770056.tif 000005
【図３Ｂ】
0006770056.tif 000006
【図３Ｃ】
0006770056.tif 000007
【図４】
0006770056.tif 000008
【図５】
0006770056.tif 000009
【図６】
0006770056.tif 000010
【図７】
0006770056.tif 000011
【図８】
0006770056.tif 000012
【図９】
0006770056.tif 000013
【図１０Ａ】
0006770056.tif 000014
【図１０Ｂ】
0006770056.tif 000015
【図１１Ａ】
0006770056.tif 000016
【図１１Ｂ】
0006770056.tif 000017
【図１２Ａ】
0006770056.tif 000018
【図１２Ｂ】
0006770056.tif 000019
【図１３Ａ】
0006770056.tif 000020
【図１３Ｂ】
0006770056.tif 000021
【図１３Ｃ】
0006770056.tif 000022
【図１３Ｄ】
0006770056.tif 000023
【図１４Ａ】
0006770056.tif 000024
【図１４Ｂ】
0006770056.tif 000025
【図１４Ｃ】
0006770056.tif 000026
【図１４Ｄ】
0006770056.tif 000027
【図１５Ａ】
0006770056.tif 000028
【図１５Ｂ】
0006770056.tif 000029
【図１５Ｃ】
0006770056.tif 000030
【図１５Ｄ】
0006770056.tif 000031
【図１６Ａ】
0006770056.tif 000032
【図１６Ｂ】
0006770056.tif 000033
【図１７Ａ】
0006770056.tif 000034
【図１７Ｂ】
0006770056.tif 000035
【図１７Ｃ】
0006770056.tif 000036
【図１８Ａ】
0006770056.tif 000037
【図１８Ｂ】
0006770056.tif 000038
【図１９Ａ】
0006770056.tif 000039
【図１９Ｂ】
0006770056.tif 000040
【図１９Ｃ】
0006770056.tif 000041
【図２０Ａ】
0006770056.tif 000042
【図２０Ｂ】
0006770056.tif 000043
【図２１Ａ】
0006770056.tif 000044
【図２１Ｂ】
0006770056.tif 000045
【図２２Ａ】
0006770056.tif 000046
【図２２Ｂ】
0006770056.tif 000047
【図２３】
0006770056.tif 000048
【図２４】
0006770056.tif 000049